(57)【要約】  第１のＮＦＣ機器（１００）と第２のＮＦＣ機器との間で近距離無線通信（Ｎｅａｒ  Ｆｉｅｌｄ  Ｃｏｍｍｕｎｉｃａｔｉｏｎ［ＮＦＣ］）を行うための方法。第１のＮＦＣ機器（１００）は、ＮＦＣ送受信機（１０）と、同じチップに集積化されているＦＭ受信機（２０）とを含む。方法は、周期的に発生するアクティビティ検出期間を含む、第２のＮＦＣ機器を検出するための機器検出ポーリングループを実施するためにＮＦＣ機器（１００）を初期設定するステップ（２００）と、上記ＮＦＣ送受信機（１０）内で、ＮＦＣ動作周波数の高調波によって生成される、ユーザに聞き取られるおそれのある雑音を低減するために、それぞれがある所定の値を下回る持続期間を有するタイムスロットにおけるアクティビティ検出期間のスライシングを行うステップ（２５０）とを含む。
2013515412.tif 000002
【特許請求の範囲】
【請求項１】
第１のＮＦＣ機器（１００）と第２のＮＦＣ機器との間で近距離無線通信（Ｎｅａｒ  Ｆｉｅｌｄ  Ｃｏｍｍｕｎｉｃａｔｉｏｎ［ＮＦＣ］）を行うためのプロセスであって、
前記第１のＮＦＣ機器（１００）は、ＮＦＣ送受信機（１０）およびＦＭ受信機（２０）を含み、両者とも同じチップに集積化され、
前記ＮＦＣ送受信機（１０）は、ＮＦＣ動作周波数で動作し、
前記ＦＭ受信器（２０）は、ＦＭ動作周波数で動作し、
当該プロセスは、
前記第２のＮＦＣ機器を検出するための機器検出ポーリングループを実施するために前記ＮＦＣ機器（１００）を初期化するステップ（２００）であって、前記機器検出ポーリングループは周期的に発生するアクティビティ検出期間を含む、ステップと、
前記ＮＦＣ送受信機（１０）内で、タイムスロットにおける前記アクティビティ検出期間のスライシングを行うステップ（２５０）であって、前記タイムスロットのそれぞれは、前記ＮＦＣ動作周波数の高調波によって生成され、ユーザに聞き取られ得る雑音を低減するためのある所定値を下回る持続期間を有する、ステップと、を含む方法。
【請求項２】
前記タイムスロットが前記ポーリングループ内でランダムにスケジュールされることを特徴とする請求項１に記載の方法。
【請求項３】
前記ＦＭ受信機によって受信されるオーディオ信号のブランキングを行うステップ（２６０）を含み、
前記ブランキングは前記タイムスロットの間に発生することを特徴とする請求項１または２に記載の方法。
【請求項４】
前記ＦＭ動作周波数を判定するステップ（２１０）と、
前記ＦＭ動作周波数を前記ＮＦＣ動作周波数の高調波と比較するステップ（２２０）と、
前記ＦＭ動作周波数が前記ＮＦＣ動作周波数の１つの高調波に近いときに、前記アクティビティ検出期間の前記スライシング動作を有効化するステップ（２４０）と、を含むことを特徴とする請求項１または２または３に記載の方法。
【請求項５】
前記所定値が１０ミリ秒に設定されていることを特徴とする請求項１から４のいずれか一項に記載の方法。
【請求項６】
前記第１のＮＦＣ機器がイニシエータモードまたはターゲットモードに設定されていることを特徴とする請求項１から５のいずれか一項に記載の方法。
【請求項７】
前記機器検出ポーリングループが、検出形式Ａ、検出形式Ｂ、検出形式Ｆ−２１２、検出形式Ｆ−４２４、検出１５６９３という種類の形式を検出することを特徴とする請求項１から６のいずれか一項に記載の方法。
【請求項８】
同じチップに集積化されるＮＦＣ送受信機（１０）およびＦＭ受信機（２０）を含む近距離無線通信（ＮＦＣ）機器であって、
周期的なアクティビティ検出期間に基づいて、第２のＮＦＣ機器を検出するための機器検出ポーリングループを初期化するための手段と、
ある所定値を下回る持続期間を有するタイムスロットにおける前記アクティビティ検出期間をスライスするための手段（３０、４０）と、を備え、
それによって、前記ＮＦＣ動作周波数の高調波によって生成される雑音が前記ＦＭ受信機において低減される、ＮＦＣ機器。
【請求項９】
前記ポーリングループ内で前記タイムスロットをランダムにスケジュールするための手段をさらに含む請求項８に記載の近距離無線通信（ＮＦＣ）機器。
【請求項１０】
前記タイムスロットの間に前記ＦＭ受信機によって受信されるオーディオ信号をブランキングするための手段（５０）をさらに含む請求項８または９に記載の近距離無線通信（ＮＦＣ）機器。
【請求項１１】
前記ＦＭ受信機によって使用される前記ＦＭ動作周波数を前記ＮＦＣ動作周波数の高調波と比較し、前記比較に続いてさらに、前記ブランキング手段（５０）を有効化するための制御部（３０）をさらに含む請求項８から１０のいずれか一項に記載の近距離無線通信（ＮＦＣ）機器。
【請求項１２】
前記所定値が１０ミリ秒に設定されていることを特徴とする請求項８から１１のいずれか一項に記載の近距離無線通信（ＮＦＣ）機器。
【請求項１３】
検出形式Ａ、検出形式Ｂ、検出形式Ｆ−２１２、検出形式Ｆ−４２４、検出１５６９３という種類の形式を検出するように構成されていることを特徴とする請求項８から１２のいずれか一項に記載の近距離無線通信（ＮＦＣ）機器。
【請求項１４】
前記ＦＭ受信機と前記ＮＦＣ送受信機との前記集積化がシステム・オン・チップ（ＳＯＣ）またはシステム・イン・パッケージ（ＳＩＰ）集積化であることを特徴とする請求項８から１２のいずれか一項に記載の近距離無線通信（ＮＦＣ）機器。
【請求項１５】
前記ポーリングループがソフトウェアで構成されていることを特徴とする請求項８から１４のいずれか一項に記載の近距離無線通信（ＮＦＣ）機器。
【発明の詳細な説明】
【技術分野】
【０００１】
本発明は無線通信の分野に関し、より詳細には、ＦＭ受信機を含む第１のＮＦＣ機器と第２のＮＦＣ機器との間で近距離無線通信（Ｎｅａｒ  Ｆｉｅｌｄ  Ｃｏｍｍｕｎｉｃａｔｉｏｎ［ＮＦＣ］）を行うためのプロセスに関する。
【背景技術】
【０００２】
近距離無線通信（ＮＦＣ）は、互いから約１０ｃｍ以内の間隔をおいた機器において適用される高周波数無線通信の方法である。ＮＦＣ技術は集積回路カード（スマートカード）のインターフェースと読取り装置とを組み合わせて単一機器にするＩＳＯ／ＩＥＣ１４４４３近接カード規格（無線周波数識別［ＲＦＩＤ］非接触型カード）の拡張である。
【０００３】
具体的には、ＮＦＣ通信は、２台のＮＦＣ互換機器の間で、特にイニシエータ機器（initiator device）とターゲット機器（target device）との間で行われる。イニシエータ機器はデータ伝送のビット速度を選択し、ターゲット機器との通信を初期設定する。
【０００４】
さらにＮＦＣ技術は後述する能動または受動通信モードで動作することができ、すべてのＮＦＣ機器はどちらの通信モードもサポートするものと想定される。
【０００５】
分析的には、いわゆる受動モードにおいて、イニシエータ機器はキャリア場（field）を提供し、ターゲット機器はこの場を変調することによって応答する。受動モードでは、宛先側は、イニシエータ側の電磁場から動作電力を得、ターゲット機器の受信機は、ポーリングされる（polled）ときにその存在を認めさえすればよい。
【０００６】
他方、能動モードでは、イニシエータ機器もターゲット機器も、独自の場を発生させることによって通信する。このモードでは、どちらの機器も通常は電源を必要とする。
【０００７】
どちらもＮＦＣ対応であるイニシエータ機器とターゲット機器との間で上記のＮＦＣ通信を確立するためには、機器検出ポーリングループが適用される。機器検出ポーリングループは、イニシエータ機器がターゲット機器を検出するのに使用することもでき、ターゲット機器が外部のイニシエータ機器によって検出されるために使用することもできる。
【０００８】
より詳細には、機器検出ポーリングループの間には、周期的スキャン検出プロセスが行われる。周期的スキャン検出では、イニシエータ機器またはターゲット機器のどちらにもなり得る外部機器の様々なデータ形式を検出する。
【０００９】
今日、無線接続市場の傾向は、複数の接続コアを単一チップに集積化（integrate）することである。具体的にいうと、３Ｇ世代では、全地球測位システム（Ｇｌｏｂａｌ  Ｐｏｓｉｔｉｏｎｉｎｇ  Ｓｙｓｔｅｍ［ＧＰＳ］）、ブルートゥース（Ｂｌｕｅｔｏｏｔｈ［ＢＴ］）、およびＦＭの各コアがただ１つのチップにおいて集積化される。とはいえ、次世代チップはさらに多くのＮＦＣ接続コアを集積化することが期待される。
【００１０】
しかし、上記のＮＦＣコア統合は、チップに集積化されるＮＦＣコアとＦＭコアとの近接性のために、ＮＦＣ通信の品質の著しい低下を引き起こす。
【００１１】
上記２つのコアの近接性により、ＦＭコアがＮＦＣ周波数の高調波であるチャネルまたは周波数（以後ＦＭ動作周波数を意図する）に同調されるときには、ＮＦＣコア動作周波数（１３．５６ＭＨｚ）の高調波とＦＭ放送帯の周波数との間に干渉効果が生じる結果になる。具体的には、干渉に対する最も大きな影響は、ＮＦＣ周波数で動作する機器検出ポーリングループの永続的な機能からもたらされる。
【００１２】
よって、ＮＦＣ互換機器間のＮＦＣ通信を改善し、単一チップにおけるＦＭコアとＮＦＣコアとの集積化の結果としてもたらされる干渉効果、特に、同調されたＦＭコア周波数がＮＦＣコア動作周波数の高調波に整合するときに生じる干渉効果を低減することが求められている。
【発明の概要】
【発明が解決しようとする課題】
【００１３】
本発明の一目的は、ＦＭ受信機を含む第１のＮＦＣ機器と第２のＮＦＣ機器との間で近距離無線通信（ＮＦＣ）を行うためのプロセスを提供することである。
【００１４】
本発明の別の目的は、ＮＦＣ機器に含まれる単一チップにおけるＦＭ受信機とＮＦＣ送受信機との集積化の結果としてもたらされる干渉効果を低減するためのプロセスを提供することである。
【課題を解決するための手段】
【００１５】
上記およびその他の目的は、第１のＮＦＣ機器と第２のＮＦＣ機器との間で近距離無線通信（ＮＦＣ）を行うためのプロセスによって達成される。第１のＮＦＣ機器は、同じチップに集積化されているＮＦＣ送受信機とＦＭ受信機とを含む。
【００１６】
プロセスは、
第２のＮＦＣ機器を検出するための機器検出ポーリングループを実施するためにＮＦＣ機器を初期設定するステップであって、前記機器検出ポーリングループは周期的に発生するアクティビティ検出期間を含む、ステップと、
上記ＮＦＣ送受信機内で、小さいタイムスロットにおける前記アクティビティ検出期間のスライシングを行うステップであって、前記タイムスロットのそれぞれは、ＮＦＣ動作周波数の高調波によって生成され、ユーザに聞き取られるおそれのある雑音を低減するために、ある所定値を下回る持続期間を有する、ステップと、を伴う。
【００１７】
一実施形態において、タイムスロットはポーリングループ内でランダムにスケジュールされる。
【００１８】
好ましくは、プロセスは、上記ＦＭ受信機によって受信されるオーディオ信号のブランキングをさらに行い、上記ブランキングは上記タイムスロットの間に行われる。
【００１９】
一実施形態においては、ＦＭ受信機のＦＭ動作周波数が判定され、ＦＭ受信機のＦＭ動作周波数は、ＮＦＣ通信のすべての可能な高調波と比較される。その比較に基づき、プロセスは、ＦＭ動作周波数がＮＦＣ動作周波数に近すぎるときにユーザに聞き取られる雑音を低減するためにスライシング動作を有効化する。
【００２０】
好ましくは、所定の値は１０ミリ秒に設定される。
【００２１】
また本発明は、ＦＭ受信機と集積化されたＮＦＣ送受信機を含むＮＦＣ機器も提供する。
【００２２】
ＮＦＣ機器は、
周期的なアクティビティ検出期間に基づいて第２のＮＦＣ機器を検出するための機器検出ポーリングループを初期設定するための手段と、
ある所定の値を下回る持続期間を有するタイムスロットにおいて上記アクティビティ検出期間をスライスするための手段と
を備え、それによって、ＮＦＣ動作周波数の高調波によって生成される雑音がＦＭ受信機において低減される。
【００２３】
好ましくは、ＮＦＣ機器は、ポーリングループ内で上記タイムスロットをランダムにスケジュールするための手段を含む。
【００２４】
一実施形態において、ＮＦＣ機器は、上記タイムスロットの間に上記ＦＭ受信機によって受信されるＦＭオーディオ信号のスイッチを切るためのＦＭブランキング回路をさらに含む。
【００２５】
好ましくは、ＮＦＣ機器は制御部を含み、制御部は、例えば容易なソフトウェア構成を可能にする中央処理装置（ＣＰＵ）などとすることができ、上記ＦＭ受信機によって使用されるＦＭ動作周波数をＮＦＣ動作周波数の高調波と比較し、上記比較に続いてさらに、ＦＭオーディオ信号のブランキングの制御も行う。
【００２６】
好ましくは、タイムスロットは、ＦＭ受信機のユーザへの可聴効果を最小化するために１０ミリ秒を下回る持続期間を有するように設定される。
【００２７】
本発明は、システム・オン・チップ（Ｓｙｓｔｅｍ  ｏｎ  Ｃｈｉｐ［ＳＯＣ］）またはシステム・イン・パッケージ（Ｓｙｓｔｅｍ  ｉｎ  Ｐａｃｋａｇｅ［ＳＩＰ］）構成のどちらかにおけるＮＦＣ機器とＦＭ受信機との集積化を達成するように適合される。
【００２８】
本発明の１つまたは複数の実施形態の他の特徴は、以下の詳細な説明を添付の図面と併せて読めば最もよく理解されるであろう。
【図面の簡単な説明】
【００２９】
【図１】一実施形態による近距離無線通信（ＮＦＣ）機器を示す図である。
【図２】プロセスの一実施形態を示す図である。
【図３】機器検出ポーリングループのスキャンプロセスを示す図である。
【発明を実施するための形態】
【００３０】
以下で説明する発明はＮＦＣ互換機器において実施される。当業者には公知であるように、携帯電話、ターンスタイル、パーキングメータ、チェックアウトキャッシュレジスタまたは「ＰＯＳ（ｐｏｉｎｔ−ｏｆ−ｓａｌｅ）」装置、ＡＴＭ、家屋および車庫のドア、パーソナルコンピュータ、ポスター、道路標識、バスの停留所、ローカルＰＯＩ（ｐｏｉｎｔ  ｏｆ  ｉｎｔｅｒｅｓｔ）（ＮＦＣ可読タグを備えるもののみ）、製品包装などを含む広範な機器および機械がＮＦＣ互換機器になる可能性が高い。
【００３１】
第１のＮＦＣ機器は、広範なＮＦＣ機器、特に、（スマートカードとも呼ばれる集積回路カードに関連する）既存のＩＳＯ／ＩＥＣ１４４４３規格に準拠した第２の機器および読取り装置と通信することができる。この技術は、ＩＳＯ／ＩＥＣ１８０９２、ＥＣＭＡ−３４０（欧州の情報および通信システムを標準化するための協会）、ならびにＥＴＳＩ１０２．１９０（欧州電気通信標準化機構［Ｅｕｒｏｐｅａｎ  Ｔｅｌｅｃｏｍｍｕｎｉｃａｔｉｏｎｓ  Ｓｔａｎｄａｒｄｓ  Ｉｎｓｔｉｔｕｔｅ］）において標準化されている。この技術は、毎秒１０６ｋｂｐｓ、２１２ｋｂｐｓ、および４２４ｋｂｐｓのデータ転送を用いて、世界的に利用可能であるとともに規制外である１３．５６ＭＨｚのＲＦ帯域内で動作する。
【００３２】
しかし、以下で説明するプロセスは、広範な既存の形式または将来の形式に適合させることができる。
【００３３】
ＮＦＣ設計者の一般的傾向は、それらのＮＦＣ機能を、例えば、一般に普及しているＦＭ受信機などといった他の回路と集積化することである。
【００３４】
そのような状況において、前述の周波数を使用すると、ＦＭオーディオ回路にとって重大な干渉源になるおそれがあるのは明らかである。
【００３５】
図１は、ＮＦＣ送受信機１０を備えるＮＦＣ機器１００のアーキテクチャを示しており、ＮＦＣ送受信機１０は、ＦＭ受信機２０と同じチップ内に集積化されている。同じチップへの集積化は、（システム・オン・チップ、ＳＯＣの呼称で呼ばれる）単一のダイ内での集積化と、システム・イン・パッケージ（ＳＩＰ）と呼ばれる、同じパッケージにおける２つの別個のダイの集積化との両方の状況を含み得ることを理解すべきである。
【００３６】
一実施形態において、ＮＦＣ送受信機１０は、その動作周波数（１３．５６ＭＨｚ）でデータを搬送するＲＦ信号を送受信することができ、ＦＭ受信機２０は、８７．５ＭＨｚから１０８．０ＭＨｚまでの間で変化するその動作周波数で変調されたオーディオ信号を搬送するＦＭ信号を受信する。
【００３７】
ＦＭ動作周波数が、ＮＦＣ送受信機１０の動作周波数の第６高調波と第８高調波との間の周波数に同調されているときに、干渉効果が生じ得ることがわかる。
【００３８】
またＮＦＣ機器１００は制御部３０を含む。この制御部３０は、以下で説明するプロセスを実行するとともに、制御リード３１〜３４によってＮＦＣ機器１００の様々な構成要素を制御するのに必要とされる一連の制御信号も提供する。
【００３９】
また本発明のＮＦＣ機器１００は、ＮＦＣループタイマ４０と、ＦＭブランク回路と、５０とを含む。ＮＦＣループタイマ４０は、制御リード４２を介してＮＦＣ送受信機１０を制御する。ＦＭブランク回路５０は、ＦＭ受信機２０と接続されており、やはりリード４１を介してＮＦＣループタイマ４０から制御信号を受信する。さらに、ＮＦＣ機器１００は増幅器６０も含む。
【００４０】
制御部３０、ＮＦＣループタイマ４０、およびＦＭブランク回路５０は、ＦＭオーディオ信号の受信を改善するために協働することを示す。
【００４１】
これは、それぞれが第２のＮＦＣ機器によって適用され得る１つの特定のデータ形式に対応する、好ましくは１０ミリ秒未満の、図３に示すようなより小さいスライスまたはタイムスロットＴＳ１、ＴＳ２、ＴＳ３またはＴＳ４などにおけるＮＦＣアクティビティ検出期間をスライスし、それらのタイムスロットをＮＦＣループタイマ４０によってＮＦＣのスキャンまたはポーリングループ内でスケジュールし、また、それらのタイムスロットの間にオーディオ信号のスイッチを切るようにＦＭブランク回路を制御することによって、達成される。スライスまたはタイムスロットは、例えば、ＲＦ搬送波信号を開始し、対応するセットアップ時間の間待機し、特定のデータ形式のうちの１つに従ってＲＦ搬送波信号を変調し、対応する応答時間の間待機し、ＲＦ搬送波信号を停止することによって構築することができる。
【００４２】
好ましくは、スライシングプロセスは制御部３０により制御される。制御部３０は、ＦＭ受信機によって使用されているアクティブなＦＭ周波数と、ＮＦＣ動作周波数の存在し得る高調波と、の比較によって、ＮＦＣアクティビティ検出期間のスライシングが適切であるか否か判定する。
【００４３】
また、一実施形態において、ＮＦＣループタイマ４０は、異なるＮＦＣアクティビティ検出に割り当てられるタイムスロットのランダムなスケジューリングを行う。
【００４４】
図２に関して、次に、ＮＦＣ機器１００と別のＮＦＣ互換機器との間で近距離無線通信（ＮＦＣ）を行うためのプロセスの好ましい実施形態を説明する。ＮＦＣ機器１００は、ＮＦＣ送受信機１０とＦＭ受信機２０の両方を備える。ＦＭ送受信機１０はＮＦＣ周波数で動作し、ＦＭ受信機２０はＦＭ周波数で動作する。
【００４５】
ＦＭ受信機もＮＦＣ送受信機も単一チップに集積化されており、よって、ＦＭ受信機のＦＭ動作周波数がＮＦＣ動作周波数の高調波に整合する周波数に同調されている場合には干渉が発生するおそれがある。この干渉は、第１のＮＦＣ機器と第２のＮＦＣ機器とが至近距離（１０センチメートル前後）内に置かれるときにおこる上記のＮＦＣ通信を著しく損なう。
【００４６】
図２に戻って、ステップ２００で、プロセスは、ＮＦＣ機器１００の初期化から開始することがわかる。特に、ＦＭブランク回路５０を含むＦＭオーディオ回路が、増幅器６０を介してＦＭオーディオ再生できるよう、初期化される。
【００４７】
加えてＮＦＣ機器１００も、公知の手順に従って行われるＮＦＣ機能に関して初期化される。
【００４８】
特に初期化は、ＮＦＣ機器検出ポーリングループの初期化を含む。その段階の間、ＮＦＣ機器は別のＮＦＣ互換機器からデータ信号を受信する。これらのデータ信号は、当業者には周知の、様々な規格の様々なプロトコルに応じた様々なデータ形式に対応する。
【００４９】
一実施形態においては、ＮＦＣ機器をイニシエータモードとすることができる。その場合ＮＦＣ機器は、ターゲットモードであるＮＦＣ互換機器との通信を開始するために信号を送信する。
【００５０】
あるいは、別の実施形態においては、ＮＦＣ機器をターゲットモードとすることもできる。その場合ＮＦＣ機器は、イニシエータモードにあるＮＦＣ互換機器によって送信される信号を受信する。
【００５１】
図３に示すように、機器検出ポーリングループは、引き続くスキャン期間またはポーリングループの間ずっと周期的に行われる。また、異なるデータ形式（すなわち、検出形式Ａ、検出形式Ｂ、検出形式Ｆ−２１２、検出形式Ｆ−４２４、検出１５６９３など）は、ＮＦＣ機器によって各ポーリングループの開始時のアクティビティ検出期間またはチャンクの間にも受信される。
【００５２】
一実施形態において、ポーリングループは、実施されるすべてのプロトコルをサポートするように設計され、ソフトウェアで構成される。
【００５３】
ステップ２１０で、プロセスは、続いてＦＭ受信機によって使用されているアクティブなＦＭ周波数の判定を行う。これは、通信チャネル（不図示）を介してＦＭ受信機と情報を交換する制御部（ＣＵ）３０によって達成される。一般には、制御部３０は中央処理装置（ＣＰＵ）によって実施される。中央演算装置は機器の様々な構成要素のすべてのハイレベル制御を扱い、したがって、そのような機器の様々なパラメータ（ＦＭ受信機２０の場合には、ユーザによって使用されている動作周波数を含む）を完全に知っている。
【００５４】
ステップ２２０で、プロセスは、続いてＦＭ動作周波数とＮＦＣ動作周波数の様々な高調波との間の比較を行う。
【００５５】
この比較は、ＣＵ３０によって、ＦＭオーディオ信号の汚染（pollution）の可能性が生じ得るかどうか判定するために行われる。具体的には、ＦＭオーディオ信号は、チャネルまたはＦＭ動作周波数とＮＦＣ動作周波数の様々な高調波との間に整合または近接性がある場合に汚染され得る。
【００５６】
ＦＭ動作周波数がＮＦＣ通信のある存在し得る高調波に対応しない場合には、プロセスはステップ２３０に進み、そこでＣＵ３０は、ＮＦＣループタイマ４０とＦＭブランク回路５０とを、それぞれ、制御リード３２と３３とによって無効化する。
【００５７】
この結果として、非常に限られた干渉のリスクしか生じないために、ＮＦＣ送受信機１０とＦＭ受信機２０とのどちらの回路も、同じチップパッケージに位置しながら独立に動作することになる。
【００５８】
ステップ２２０の比較において整合がある場合には、プロセスはステップ２４０に進み、そこで制御部３０は、制御リード３２によってＮＦＣループタイマ４０を有効化する。
【００５９】
その結果として、ＮＦＣループタイマ４０は、ステップ２５０で、小さいタイムスロットにおけるＮＦＣアクティビティ検出期間のスライシングを開始する。
【００６０】
実際のところ、スライシングは、リード４２上の適切な制御信号であって、ＮＦＣ送受信機１０に転送される制御信号を生成することによって、達成され、その結果として図３に示すような短いタイムスロットが生じる。タイムスロットはバーストの形をとる。
【００６１】
一実施形態において、タイムスロットは、ＦＭブランキングプロセスのユーザにとっての可聴効果を低減するよう、ランダムにスケジュールされる。
【００６２】
同様に、ＮＦＣループタイマ４０はリード４１上の制御信号も生成する。この制御信号は、ＦＭブランク回路５０に転送されるとともに、ＮＦＣポーリングループ時にスケジュールされるタイムスロットの間にアクティブになる。
【００６３】
好ましい一実施形態では、スライシングは、各タイムスロットが１０ミリ秒未満になるように行われる。
【００６４】
次いでプロセスはステップ２６０に進み、そこでＣＵ３０は、ＦＭブランキングを有効化するように制御リード３３をアクティブ化する。
【００６５】
その結果として、ＦＭブランキング回路５０は、リード４１上で受け取った制御信号に従ってブランキング動作を開始し、その結果オーディオ増幅器の入力において提示されている可聴ＦＭ信号のスイッチが切られることになる。
【００６６】
実際のところは、そのゲート制御リードを制御リード４１によって駆動させる、ＭＯＳトランジスタといったある特殊なトランジスタを利用してもよい。
【００６７】
好ましい実施形態では、ＮＦＣループタイマ４０によって行われるスライシングは１０ミリ秒未満のアクティビティ・タイム・スロットを生成するため、対応するオーディオブランクはユーザに聞き取られない。
【００６８】
制御リード３３によるＦＭブランキング回路５０のアクティブ化は任意選択であることに留意すべきである。しかし、ＦＭブランキング回路５０がアクティブ化されない場合は、ＦＭオーディオ信号の改善は、（ブロック４０によって行われる）ＮＦＣアクティビティ検出スキャンにおいて導入されるランダムな「スライシング」によってのみ達成される。
【００６９】
明らかに、制御部が制御リード３３をアクティブ化するときに、ＦＭブランキング回路５０は、オーディオ信号の品質を大幅に改善する。
【図１】
2013515412.tif 000003
【図２】
2013515412.tif 000004
【図３】
2013515412.tif 000005
【国際調査報告】
2013515412.tif 000006
2013515412.tif 000007